(57)【要約】【課題】異なる取得方法で映像データを取得する複数の映像取得部を備え、ＵＩ画像が表示可能な携帯端末装置において、取得映像の表示を停止しＵＩ画像を表示した後に終了させてその映像の表示を再開するときに可能な限り停止前の映像取得部で取得した映像を表示させる。【解決手段】携帯端末装置は、映像表示部（表示部１１）で、第１映像取得部及び／又は第２映像取得部で取得した映像をＵＩ画像表示のイベントの発生により停止する停止制御部と、イベント終了時、その表示を復帰する復帰制御部と、停止制御を実行中に第１映像取得部で映像データの取得を行い取得状況を記録する取得状況記録部とを備える。復帰制御部は、停止制御の前に第１映像取得部で取得した映像を表示し且つ記録された取得状況から復帰制御時に第１映像取得部で映像データが所定以上の受信のレベルで取得できないと判定した場合、第２映像取得部で映像データを取得して出力する。【選択図】図３
2010268281.tif 000002
【特許請求の範囲】
【請求項１】
映像表示部と、映像データを取得する第１の映像取得部と、該第１の映像取得部と異なる取得方法で映像データを取得する第２の映像取得部と、を備えた携帯端末装置であって、
前記映像表示部で、前記第１の映像取得部及び／又は前記第２の映像取得部で取得した映像データが示す映像を表示中に、ユーザインターフェース画像を表示するイベントが発生したときに、前記映像の表示を停止する停止制御を行う停止制御部と、
該停止制御の要因となった前記イベントが終了したとき、前記映像の表示を復帰する復帰制御を行う復帰制御部と、
前記停止制御を実行中に、前記第１の映像取得部で映像データの取得を行い、取得状況を記録する取得状況記録部と、を備え、
前記復帰制御部は、前記停止制御の前に、前記第１の映像取得部で取得した映像データが示す映像を表示しており、且つ、前記取得状況記録部で記録された取得状況から、前記復帰制御時に前記第１の映像取得部で映像データが所定以上の受信のレベルで取得できないと判定した場合、前記第２の映像取得部で映像データを取得して、前記映像表示部に出力することを特徴とする携帯端末装置。
【請求項２】
請求項１に記載の携帯端末装置において、
前記第１の映像取得部は、地上波デジタル放送における周波数帯域内の複数セグメントに割り当てられた複数セグメント放送の映像データを受信するフルセグ放送受信部であり、
前記第２の映像取得部は、地上波デジタル放送における周波数帯域内の１セグメントに割り当てられたワンセグメント放送の映像データを受信するワンセグ放送受信部であることを特徴とする携帯端末装置。
【請求項３】
請求項１又は２に記載の携帯端末装置において、
前記復帰制御部は、前記停止制御の前に、表示していた映像の映像データが、前記第１の映像取得部と前記第２の映像取得部との双方で同じ内容の映像データが取得可能でなかった場合、前記第１の映像取得部で映像データを取得して、前記映像表示部に出力することを特徴とする携帯端末装置。
【請求項４】
請求項１〜３のいずれか１項に記載の携帯端末装置において、
前記取得状況記録部は、前記停止制御を実行中に、前記第１の映像取得部で映像データの取得を行い、前記取得状況として、前記第１の映像取得部で前記所定以上の受信のレベルでの取得が可能な確率である取得可能確率を記録し、
前記復帰制御部は、前記停止制御の前に、前記第１の映像取得部で取得した映像データが示す映像を表示しており、且つ、前記取得状況記録部で記録された前記取得可能確率が所定値より低い場合、前記第２の映像取得部で映像データを取得して、前記映像表示部に出力することを特徴とする携帯端末装置。
【請求項５】
請求項２に記載の携帯端末装置において、
前記停止制御の前に、前記フルセグ放送受信部で受信した映像データが示す映像と前記ワンセグ放送受信部で受信した映像データが示す映像とを、前記フルセグ放送受信部で受信した映像の表示割合が多くなるように重畳した重畳映像データを、前記映像表示部に出力して該重畳映像データが示す映像を表示していたとき、
前記復帰制御部は、前記取得状況記録部で記録された取得状況から、前記復帰制御時に前記フルセグ放送受信部で映像データが前記所定以上の受信のレベルで取得できないと判定した場合、前記フルセグ放送受信部で前記停止制御の前に受信していた映像データに対応する前記ワンセグ放送受信部で前記復帰制御の時に受信した映像データが示す映像を、前記停止制御の前の前記フルセグ放送受信部で受信していた映像データが示す映像の表示位置と同じ位置に表示するように、前記映像表示部に出力することを特徴とする携帯端末装置。
【請求項６】
請求項５に記載の携帯端末装置において、
前記復帰制御部は、事前設定に基づいて、前記ワンセグ放送受信部で前記停止制御の前に受信していた映像データに対応して前記フルセグ放送受信部で過去に受信して保存した映像データ、前記ワンセグ放送受信部で前記停止制御の前に受信していた映像データに対応する前記ワンセグ放送受信部で前記復帰制御の時に受信した映像データ、所定の画像データ、のいずれかが示す映像を、前記停止制御の前の前記ワンセグ放送受信部で受信していた映像データが示す映像の表示位置と同じ位置に表示するように、前記映像表示部に出力することを特徴とする携帯端末装置。
【請求項７】
請求項１〜６のいずれか１項に記載の携帯端末装置において、該携帯端末装置は、基地局装置との無線通信を行うことが可能となっており、前記イベントは、前記基地局装置からの着信に伴う前記ユーザインターフェース画像の表示を含むことを特徴とする携帯端末装置。
【請求項８】
請求項１〜７のいずれか１項に記載の携帯端末装置において、前記受信のレベルは、受信する電波の強さである受信電力レベルであることを特徴とする携帯端末装置。
【請求項９】
音声出力部と、音声データを取得する第１の音声取得部と、該第１の音声取得部と異なる取得方法で音声データを取得する第２の音声取得部と、を備えた携帯端末装置であって、
前記音声出力部で、前記第１の音声取得部及び／又は前記第２の音声取得部で取得した音声データが示す音声を出力中に、該音声とは異なる他の音声を出力するイベントが発生したときに、前記音声の出力を停止する停止制御を行う停止制御部と、
該停止制御の要因となった前記イベントが終了したとき、前記音声の出力を復帰する復帰制御を行う復帰制御部と、
前記停止制御を実行中に、前記第１の音声取得部で音声データの取得を行い、取得状況を記録する取得状況記録部と、を備え、
前記復帰制御部は、前記停止制御の前に、前記第１の音声取得部で取得した音声データが示す音声を出力しており、且つ、前記取得状況記録部で記録された取得状況から、前記復帰制御時に前記第１の音声取得部で音声データが所定以上の受信のレベルで取得できないと判定した場合、前記第２の音声取得部で音声データを取得して、前記音声出力部に出力することを特徴とする携帯端末装置。
【発明の詳細な説明】
【技術分野】
【０００１】
本発明は、携帯端末装置に関し、より詳細には、少なくとも２つの取得方法で映像データ又は音声データを取得することが可能な携帯端末装置に関する。
【背景技術】
【０００２】
従来から、携帯電話機や携帯情報端末（ＰＤＡ：Personal Digital Assistance）等の携帯端末装置に１セグ放送の視聴機能が備えられている。１セグ放送（ワンセグ放送）とは、地上波デジタル放送における周波数帯域内の１セグメントに割り当てられた放送を指す。ワンセグ放送では、移動体に受信装置を搭載することを前提とし、フルセグ放送に比べて移動による受信感度の劣化を抑えているものの、放送という性質上、視聴の中断は避けられない。なお、フルセグ放送とは、地上波デジタル放送における周波数帯域内の１２セグメントに割り当てられた放送を指す。
【０００３】
特許文献１には、テレビ視聴時に受信レベルチェックを行い、その結果に応じてワンセグ放送とフルセグ放送のどちらを表示するのかを決める受信装置が開示されている。
【先行技術文献】
【特許文献】
【０００４】
【特許文献１】特開２００６−２６２１２６号公報
【発明の概要】
【発明が解決しようとする課題】
【０００５】
ところで、基地局装置との無線通信により通話や電子メールの交換を行う機能を備えた携帯端末装置には、ワンセグ放送受信機能とフルセグ放送受信機能の双方を備えたものがある。そのような携帯端末装置では、放送受信して出力中に着信があった場合や発信の操作がユーザによってなされたときには、受信中の映像・音声の出力は不要となるため、その映像・音声の出力を停止して、着信のユーザインターフェース（ＵＩ）画像や発信のＵＩ画像を表示することがなされている。
【０００６】
そして、その着信や発信に伴うＵＩ画像の表示が終了したとき、つまり通話や電子メールの送受信やその閲覧が終了したとき、ユーザは元の放送を受信して映像・音声の出力を再開することを望むことが多い。
【０００７】
しかしながら、特許文献１に記載の技術をはじめとする従来の技術では、視聴開始時又は視聴中の動作のみを考慮し、視聴の中断・再生時の動作は考慮されていない。従って、単純に視聴中断からの再開時に映像受信部で受信して映像を表示させようとすると、受信状態の変化によりユーザが望む放送チャンネルの視聴ができなくなってしまうことがある。
【０００８】
例えば、フルセグ放送、ワンセグ放送の受信機能を搭載した携帯電話機において、フルセグ放送受信エリアで着信を受け、フルセグ放送受信不可エリアで通話が終了した場合など、視聴が着信により停止し通話終了後に再開するときに放送受信状態が中断前から変化してしまう場合があり、そのときには、元の視聴状態に復帰できない場合がある。また、着信に限らず、ユーザ操作により視聴を停止し他の機能に移った後、その機能を終了するユーザ操作がなされた場合にも、新たなユーザ操作無しに自動的に元の視聴状態に復帰できない場合がある。
【０００９】
さらに、このような問題は、ワンセグ放送とフルセグ放送とに限らず、異なる取得方法で映像データを取得する複数の映像取得部を備え、それ以外のＵＩ画像を表示することが可能な携帯端末装置において生じ得る。
【００１０】
また、従来技術では、このような停止・再開を行う際に、携帯端末装置に設けられた複数の映像取得部のいずれかで受信中の映像と同じチャンネルの映像が停止・再開時に他方の映像取得部で取得できるか否かについて、考慮されていない。また、従来技術では、複数の映像表示に対してこのような停止・再開を行うことについても、考慮されていない。
【００１１】
本発明は、上述のような実状に鑑みてなされたものであり、その目的は、異なる取得方法で映像データを取得する複数の映像取得部を備え、ユーザ操作時や着信時などにＵＩ画像を表示することが可能な携帯端末装置において、映像取得部で取得した映像の表示を停止しＵＩ画像を表示した後、そのＵＩ画像の表示を終了させてその映像の表示を再開するときに、可能な限り停止前の映像取得部で映像を取得して表示させることを可能にすることにある。
【００１２】
また、本発明の他の目的は、異なる取得方法で音声データを取得する複数の音声取得部を備え、ユーザ操作時や着信時などに他の音声を出力することが可能な携帯端末装置において、音声取得部で取得した音声の出力を停止し上記他の音声を出力した後、上記他の音声の出力を終了させて停止前の音声の出力を再開するときに、可能な限り停止前の音声取得部で音声を取得して出力させることを可能にすることにある。
【課題を解決するための手段】
【００１３】
上記課題を解決するために、本発明の第１の技術手段は、映像表示部と、映像データを取得する第１の映像取得部と、該第１の映像取得部と異なる取得方法で映像データを取得する第２の映像取得部と、を備えた携帯端末装置であって、前記映像表示部で、前記第１の映像取得部及び／又は前記第２の映像取得部で取得した映像データが示す映像を表示中に、ユーザインターフェース画像を表示するイベントが発生したときに、前記映像の表示を停止する停止制御を行う停止制御部と、該停止制御の要因となった前記イベントが終了したとき、前記映像の表示を復帰する復帰制御を行う復帰制御部と、前記停止制御を実行中に、前記第１の映像取得部で映像データの取得を行い、取得状況を記録する取得状況記録部と、を備え、前記復帰制御部は、前記停止制御の前に、前記第１の映像取得部で取得した映像データが示す映像を表示しており、且つ、前記取得状況記録部で記録された取得状況から、前記復帰制御時に前記第１の映像取得部で映像データが所定以上の受信のレベルで取得できないと判定した場合、前記第２の映像取得部で映像データを取得して、前記映像表示部に出力することを特徴としたものである。
【００１４】
第２の技術手段は、第１の技術手段において、前記第１の映像取得部は、地上波デジタル放送における周波数帯域内の複数セグメントに割り当てられた複数セグメント放送の映像データを受信するフルセグ放送受信部であり、前記第２の映像取得部は、地上波デジタル放送における周波数帯域内の１セグメントに割り当てられたワンセグメント放送の映像データを受信するワンセグ放送受信部であることを特徴としたものである。
【００１５】
第３の技術手段は、第１又は第２の技術手段において、前記復帰制御部は、前記停止制御の前に、表示していた映像の映像データが、前記第１の映像取得部と前記第２の映像取得部との双方で同じ内容の映像データが取得可能でなかった場合、前記第１の映像取得部で映像データを取得して、前記映像表示部に出力することを特徴としたものである。
【００１６】
第４の技術手段は、第１〜第３のいずれかの技術手段において、前記取得状況記録部は、前記停止制御を実行中に、前記第１の映像取得部で映像データの取得を行い、前記取得状況として、前記第１の映像取得部で前記所定以上の受信のレベルでの取得が可能な確率である取得可能確率を記録し、前記復帰制御部は、前記停止制御の前に、前記第１の映像取得部で取得した映像データが示す映像を表示しており、且つ、前記取得状況記録部で記録された前記取得可能確率が所定値より低い場合、前記第２の映像取得部で映像データを取得して、前記映像表示部に出力することを特徴としたものである。
【００１７】
第５の技術手段は、第２の技術手段において、前記停止制御の前に、前記フルセグ放送受信部で受信した映像データが示す映像と前記ワンセグ放送受信部で受信した映像データが示す映像とを、前記フルセグ放送受信部で受信した映像の表示割合が多くなるように重畳した重畳映像データを、前記映像表示部に出力して該重畳映像データが示す映像を表示していたとき、前記復帰制御部は、前記取得状況記録部で記録された取得状況から、前記復帰制御時に前記フルセグ放送受信部で映像データが前記所定以上の受信のレベルで取得できないと判定した場合、前記フルセグ放送受信部で前記停止制御の前に受信していた映像データに対応する前記ワンセグ放送受信部で前記復帰制御の時に受信した映像データが示す映像を、前記停止制御の前の前記フルセグ放送受信部で受信していた映像データが示す映像の表示位置と同じ位置に表示するように、前記映像表示部に出力することを特徴としたものである。
【００１８】
第６の技術手段は、第５の技術手段において、前記復帰制御部は、事前設定に基づいて、前記ワンセグ放送受信部で前記停止制御の前に受信していた映像データに対応して前記フルセグ放送受信部で過去に受信して保存した映像データ、前記ワンセグ放送受信部で前記停止制御の前に受信していた映像データに対応する前記ワンセグ放送受信部で前記復帰制御の時に受信した映像データ、所定の画像データ、のいずれかが示す映像を、前記停止制御の前の前記ワンセグ放送受信部で受信していた映像データが示す映像の表示位置と同じ位置に表示するように、前記映像表示部に出力することを特徴としたものである。
【００１９】
第７の技術手段は、第１〜第６のいずれかの技術手段において、該携帯端末装置は、基地局装置との無線通信を行うことが可能となっており、前記イベントは、前記基地局装置からの着信に伴う前記ユーザインターフェース画像の表示を含むことを特徴としたものである。
【００２０】
第８の技術手段は、第１〜第７のいずれかの技術手段において、前記受信のレベルは、受信する電波の強さである受信電力レベルであることを特徴としたものである。
【００２１】
第９の技術手段は、音声出力部と、音声データを取得する第１の音声取得部と、該第１の音声取得部と異なる取得方法で音声データを取得する第２の音声取得部と、を備えた携帯端末装置であって、前記音声出力部で、前記第１の音声取得部及び／又は前記第２の音声取得部で取得した音声データが示す音声を出力中に、該音声とは異なる他の音声を出力するイベントが発生したときに、前記音声の出力を停止する停止制御を行う停止制御部と、該停止制御の要因となった前記イベントが終了したとき、前記音声の出力を復帰する復帰制御を行う復帰制御部と、前記停止制御を実行中に、前記第１の音声取得部で音声データの取得を行い、取得状況を記録する取得状況記録部と、を備え、前記復帰制御部は、前記停止制御の前に、前記第１の音声取得部で取得した音声データが示す音声を出力しており、且つ、前記取得状況記録部で記録された取得状況から、前記復帰制御時に前記第１の音声取得部で音声データが所定以上の受信のレベルで取得できないと判定した場合、前記第２の音声取得部で音声データを取得して、前記音声出力部に出力することを特徴としたものである。
【発明の効果】
【００２２】
本発明によれば、異なる取得方法で映像データを取得する複数の映像取得部を備え、ユーザ操作時や着信時などにＵＩ画像を表示することが可能な携帯端末装置において、映像取得部で取得した映像の表示を停止しＵＩ画像を表示した後、そのＵＩ画像の表示を終了させてその映像の表示を再開するときに、可能な限り停止前の映像取得部で映像を取得して表示させることが可能になる。
【００２３】
また、本発明の他の形態によれば、異なる取得方法で音声データを取得する複数の音声取得部を備え、ユーザ操作時や着信時などに他の音声を出力することが可能な携帯端末装置において、音声取得部で取得した音声の出力を停止し上記他の音声を出力した後、上記他の音声の出力を終了させて停止前の音声の出力を再開するときに、可能な限り停止前の音声取得部で音声を取得して出力させることが可能になる。
【図面の簡単な説明】
【００２４】
【図１】本発明に係る携帯電話機の一例を示す外観図である。
【図２】本発明に係る携帯電話機の構成例を示すブロック図である。
【図３】図２の携帯電話機における放送処理部及び映像出力部の構成例を示すブロック図である。
【図４】本発明の第１の実施形態に係る携帯電話機における１画面でＴＶ視聴中の処理の一例を説明するためのフロー図である。
【図５】本発明の第２の実施形態に係る携帯電話機における１画面でＴＶ視聴中の処理の一例を説明するためのフロー図である。
【図６】本発明の第３の実施形態に係る携帯電話機における１画面でＴＶ視聴中の処理の一例を説明するためのフロー図である。
【図７】図１の携帯電話機における親画面と子画面を用いたＰｉｎＰ表示の一例を示す図である。
【図８】本発明の第４の実施形態に係る携帯電話機におけるＰｉｎＰでＴＶ視聴中の処理の一例を説明するためのフロー図である。
【図９】本発明の第５の実施形態に係る携帯電話機におけるＰｉｎＰでＴＶ視聴中の処理の一例を説明するためのフロー図である。
【図１０】本発明の第６の実施形態に係る携帯電話機におけるＰｉｎＰでＴＶ視聴中の処理の一例を説明するためのフロー図である。
【図１１】本発明の第７の実施形態に係る携帯電話機におけるＰｉｎＰでＴＶ視聴中の処理の一例を説明するためのフロー図である。
【発明を実施するための形態】
【００２５】
以下、本発明に係る携帯端末装置として、携帯電話機を例に挙げて説明するが、ＰＤＡ、モバイルコンピュータ、カーナビゲーションシステムの端末装置など、他種の携帯端末装置でも同様に適用できる。
【００２６】
図１は、本発明に係る携帯電話機の一例を示す外観図で、図２は、本発明に係る携帯電話機の構成例を示すブロック図で、図３は、図２の携帯電話機における放送処理部及び映像出力部の構成例を示すブロック図である。図１で例示する携帯電話機１は、画像（映像や静止画像）を表示する映像表示部（以下、単に表示部という）１１と、ユーザからの操作を入力する操作部１２とを備える。操作部としては、図１で示したようなキー入力部の他に、表示部１１に組み込んだタッチパネルと表示部１１に表示させるキー画像とで構成してもよい。
【００２７】
この携帯電話機１は、図２に示すように、表示部１１及び操作部１２の他に、全体を制御するために、ＲＯＭ（Read Only Memory）１７、ＲＡＭ（Random Access Memory）１８、及びＣＰＵ（Central Processing Unit）１９で例示した主制御部を備える。主制御部には、図示しないＥＥＰＲＯＭ（Electrically Erasable and Programmable ROM）等の内部メモリをもつ。
【００２８】
さらに、携帯電話機１は、放送用アンテナ１３、放送用アンテナ１３で受信した放送に対して各種処理を施す放送処理部１４、放送処理部１４で処理された映像データを出力する表示部１１を有する映像出力部１５、放送処理部１４で処理された音声データを出力するスピーカを有する音声出力部１６、通話等を行う通信処理部２０、及び通信処理部２０での通信に用いる通信用アンテナ２１を備え、操作部１２及び主制御部と共に、これらがシステムバス２２に接続されて構成される。
【００２９】
放送用アンテナ１３、放送処理部１４、及び映像出力部１５でなるブロック３０は、図３に示すように、フルセグ放送とワンセグ放送とが受信可能に構成されており、さらに、主制御部からの制御によりそれらのいずれを表示部１１への出力とするかを切り替える切替部３９を備える。切替部３９は、表示部１１にフルセグ・ワンセグのＰｉｎＰ表示を行う場合の親画面・子画面の切り替えを行うことも可能である。また、切替部３９は、音声出力部１６への出力も同様に切り替える。
【００３０】
携帯電話機１は、地上波デジタル放送における周波数帯域内の複数セグメントに割り当てられた複数セグメント放送の映像データを受信するフルセグ放送受信部を備える。このフルセグ放送受信部は、フルセグチューナ３１、ＯＦＤＭ（Orthogonal Frequency Division Multiplex）復調を行うフルセグＯＦＤＭ３２、映像・音声等を分離するフルセグＴＳ（Transport Stream）デコーダ３３、及び映像・音声等をデコードするフルセグデコーダ３４を備える。また、同様に、携帯電話機１は、地上波デジタル放送における周波数帯域内の１セグメントに割り当てられたワンセグメント放送の映像データを受信するワンセグ放送受信部を備える。このワンセグ放送受信部は、ワンセグチューナ３５、ワンセグＯＦＤＭ３６、ワンセグＴＳデコーダ３７、及びワンセグデコーダ３８を備える。
【００３１】
ここで、フルセグ放送受信部は映像データを取得する第１映像取得部の一例であり、ワンセグ放送受信部は第１映像取得部と異なる取得方法で映像データを取得する第２映像取得部の一例である。ここで、第２映像取得部は、第１映像取得部より取得に関する優位度が高い映像データが取得可能であるものとする。ここで「取得に関する優位度」としては、例えば受信感度、受信速度、受信にかかる通信料などが挙げられ、フルセグ放送受信部とワンセグ放送受信部との場合、受信感度が該当する。
【００３２】
携帯電話機１は、次の停止制御部、復帰制御部、及び取得状況記録部を備える。以下、これらの部位は主制御部に設けられるものとして説明するが、携帯電話機１に設けられていればよい。
【００３３】
停止制御部は、表示部１１で、フルセグ放送受信部及び／又はワンセグ放送受信部で受信した映像データが示す映像を表示中に、ユーザインターフェース（ＵＩ）画像を表示するイベントが発生したときに、その映像の表示を停止する停止制御を行う。ここで、ＵＩ画像は、操作部１２での操作の際に閲覧等するための画像である。
【００３４】
受信した映像を表示中に、発生するＵＩ画像（その映像を含まない他のＵＩ画像である）表示イベントとしては、次のようなものがある。例えば、通信用アンテナ２１及び通信処理部２０のように、携帯電話機１で通常搭載される基地局装置との無線通信を行う機能が搭載されていれば、基地局装置からの着信に伴って電話番号や電子メールアドレスの表示又は着信（着呼）がある旨の表示がＵＩ画像でなされるが、そのようなＵＩ画像を表示するイベントが挙げられる。また、電話や電子メールの発信（発呼）時に行うユーザからの操作入力によっても、ＵＩ画像が表示され、このようなＵＩ画像を表示するイベントも例として挙げられる。さらに、無線通信と関係なくても、例えば、電子メールの受信ボックスを閲覧したいと希望したり、格納した画像を表示したいと希望した場合、ユーザは操作部１２から希望に応じた操作を行うことになるが、このような操作入力によって表示されるＵＩ画像も、上記ＵＩ画像表示イベントの１つとして採用できる。
【００３５】
復帰制御部は、停止制御部での停止制御の要因となったＵＩ画像表示イベントが終了したとき、停止前に表示していた映像の表示を復帰する復帰制御を行う。また、取得状況記録部は、停止制御部での停止制御を実行中に、フルセグ放送受信部で映像データの受信を行って、その取得状況を内部メモリに記録する。
【００３６】
そして、復帰制御部は、停止制御の前に、フルセグ放送受信部で受信した映像データが示す映像を表示しており、且つ、取得状況記録部で記録された取得状況から、復帰制御時（イベントの終了時）にフルセグ放送受信部で映像データが所定以上の受信のレベル（以下、受信レベルという）で取得（受信）できないと判定した場合、ワンセグ放送受信部で映像データを受信して、表示部１１に出力する。ここで、受信レベルとは受信感度と同等の意味であり、受信レベルとしては、受信する電波の強さである受信電力レベルを採用することが好ましい。
【００３７】
以下、このような構成例の携帯電話機１における本発明の主たる特徴について、様々な実施形態を挙げて説明する。第１〜第８の実施形態では、ユーザの意図しない着信時の視聴中断後の復帰処理について、つまり上記ＵＩ画像表示イベントが着信に伴うＵＩ画像表示イベントである場合についてのみ説明するが、発信やその他の処理のためのユーザ操作による視聴中断からの復帰であっても、同様に適用できる。また、第１〜第８の実施形態として、上述したようなフルセグ放送受信部及びワンセグ放送受信部を備えた例を挙げて説明する。第１〜第７の実施形態における上記優位度としては、受信感度が該当し、それ故、復帰制御部は、所定以上の受信レベルで受信できるか否かを判定している。第１映像取得部と第２映像取得部の他の例については、第８の実施形態として後述する。
【００３８】
（第１の実施形態）
図４は、本発明の第１の実施形態に係る携帯電話機における１画面でＴＶ視聴中の処理の一例を説明するためのフロー図である。
【００３９】
主制御部は、１画面でＴＶ視聴中、着信があるか否かを検知する（ステップＳ１）。着信があった場合、その着信を報知するＵＩ画像を表示し、操作部１２での応答操作により通話に移行することになる。そのＵＩ画像を表示する場合、主制御部の停止制御部がＴＶ映像の停止制御を行うが、復帰制御部が、復帰時のために現在の視聴状態（フルセグ受信だったか、ワンセグ受信だったか）を内部メモリに記憶する（ステップＳ２）。ステップＳ２の処理後、取得状況記録部が、通話中、例えば所定時間毎にフルセグの受信感度を測定して内部メモリに記録する（ステップＳ３）。
【００４０】
次に、主制御部の復帰制御部は、通話終了を検知したか否かを判定し（ステップＳ４）、ＮＯの場合にはステップＳ３へ戻り、取得状況記録部が受信感度の測定・更新を行う。通話の終了は操作部１２等での通話終了の操作又は通話相手からの切断等で検知できる。通話終了時（ステップＳ４でＹＥＳの場合）、復帰制御部は、着信時の状態判定をステップＳ２で記憶された情報に基づいて行う（ステップＳ５）。ステップＳ５では、着信時の視聴がワンセグであったか否かを判定する。復帰制御部は、着信時にワンセグを視聴中であった場合（ステップＳ５でＹＥＳの場合）、切替部３９での切り替えを行わずに、ワンセグ視聴を再開する（ステップＳ８）。
【００４１】
一方、着信時の視聴がフルセグであった場合（ステップＳ５でＮＯの場合）には、復帰制御部は、ステップＳ３で通話中に測定していた受信感度（受信状況）を元に、現在フルセグが視聴可能に受信できるか否かの判定を行う（ステップＳ６）。ここで、便宜上、「視聴可能」として説明しているが視認可能（視覚可能）であればよく、復帰制御部での判定として説明すると、所定以上の受信レベルで取得できるか否かを判定することになる。現在視聴ができない場合（ＮＯの場合）には切替部３９での切り替えを行ってワンセグ視聴を行う（ステップＳ８）。また、ステップＳ６でＹＥＳの場合、復帰制御部は、切替部３９での切り替えを行わずにフルセグ視聴を再開する（ステップＳ７）。
【００４２】
このように、フルセグ放送の受信ができない場合には、ワンセグ放送の受信レベルに関係なくワンセグ視聴を再開する。使用するチューナにより値は異なるが、例えば、フルセグチューナ３１、ワンセグチューナ３５では、Ｃ／Ｎがワンセグ放送の場合には６ｄＢ程度で受信できるが、フルセグ放送の場合には２０ｄＢないと受信できないなど、ワンセグ放送はフルセグ放送と比較して、受信エリアが広くまた移動中における受信も優れているため、喩えワンセグエリア外であっても受信復旧の可能性がフルセグより高く視聴復旧が容易となる。
【００４３】
上述のステップＳ６における受信レベルによる視聴可／不可（所定以上の受信レベル／それ未満の受信レベル）の判定には、上述の受信電力レベルの他に、Ｃ／Ｎ（Carrier to Noise）、ＢＥＲ（Bit Error Rate）、ＰＥＲ（Packet Error Rate）を用い、ステップＳ３でこれらのいずれか１又は複数を記憶しておき、対応する閾値で判定することが考えられるが、それ以外の方式を用いてもかまわない。
【００４４】
また、視聴可／不可の判定には、例えば、ブロックノイズ等が載る可能性があってもユーザが高品位な視聴を行うことを優先した閾値を用いてもよいし、視聴映像を途切れさせない程度の品位でも視聴させることを優先した閾値を用いてもよいし、ブロックノイズ等の視聴障害の影響を受けやすいか否かの閾値を用いてもよい。また、どのような閾値を用いるかを操作部１２で主制御部内の内部メモリに登録したユーザ設定に従って決定してもよい。また、視聴映像を途切れさせない程度の品位に限らず、復帰時には視聴できてもその後視聴が難しくなると判定した場合など、所定以上の受信レベルでの受信を維持できると判定された場合に視聴可能、維持できないと判定された場合に視聴不可と判定するようにしてもよい。これにより、フルセグ受信が可能な場合でも、高品位の視聴を提供できない場合や受信レベルが高くなく視聴が直ぐに中断する可能性がある場合には、フルセグでの再開を行わずにワンセグで再開するようにすることができる。
【００４５】
このように、本実施形態によれば、着信時の視聴状態だけでなく通話中のフルセグ受信状況を記憶し、それに基づいて復帰制御を行うことにより、ユーザは着信からの通話後、着信時のテレビ視聴状態に可能な限り復帰でき、着信時に復帰できない場合でもワンセグで視聴を継続することができる。また、通話中のフルセグ受信状況に基づいた復帰制御であるため、通話終了時にワンセグのみ視聴が可能な場合であっても、視聴再開をスムーズに行うことができる。
【００４６】
また、図示しないが、ステップＳ２の処理後、現在の視聴状態がフルセグであったか否かをステップＳ２での記憶に基づき判断し、フルセグ受信中であった場合には、フルセグ受信を停止してワンセグへの受信に切り替えを行ってから、ステップＳ３と同様の処理（但し、ワンセグ受信に関する受信感度の測定・記憶）を行うようにしてもよい。このような処理を行う場合、ステップＳ６において、復帰制御部は、ステップＳ３と同様の処理で通話中に測定していたワンセグの受信感度（受信状況）を元に、現在フルセグが視聴可能に受信できるか否かの推測を行い判定を行うようにすればよい。ワンセグの受信感度とフルセグの受信感度との関係を予め格納しておくことでこのような推測が可能となる。
【００４７】
このような処理により、フルセグ受信よりワンセグ受信の方が消費電力が少ないため、着信等により視聴が一時的に停止している状態での消費電力を削減することができる。また、以下の実施形態ではこのような処理の適用について説明しないが、同様に他の実施形態でも適用可能である。さらに、ワンセグ受信とフルセグ受信とに限らず、このような処理は、消費電力が少ない受信によって消費電力の大きい受信の状況を推測できる他のシステムで使用してもよい。
【００４８】
なお、ステップＳ３において、取得状況記録部は、フルセグの受信感度を測定し記録するだけでなく、ワンセグの受信感度も測定して記録しておいてもよい。ステップＳ６において、フルセグの受信感度を見てフルセグで視聴復帰するか否かを判定するときに、ワンセグの受信感度の測定結果との差異により、判定を実行することができる。
【００４９】
また、上述した処理例では、着信時の視聴状態に復帰させることを基準として説明したが、これを、操作部１２で主制御部内の内部メモリに登録したユーザ設定に従って、フルセグ復帰を優先させる判定又はワンセグ復帰を優先させる判定を行ってもよい。
【００５０】
（第２の実施形態）
図５は、本発明の第２の実施形態に係る携帯電話機における１画面でＴＶ視聴中の処理の一例を説明するためのフロー図で、サイマル／非サイマルの判定を含む処理例を説明するためのフロー図である。
【００５１】
本実施形態における復帰制御部は、停止制御の前に、表示していた映像の映像データが、非サイマル放送の映像データであった場合（サイマル放送の映像データでなかった場合）、停止制御前から放送受信部を替えたとしても同じ番組のチャンネルが受信できないため、常に、停止制御の前に受信していた方の放送受信部で映像データを受信して、表示部１１に出力する。ここで、サイマル放送とは、ワンセグ放送受信部とフルセグ放送受信部との双方で受信可能な放送とする。
【００５２】
本実施形態の処理例を説明する。まず、第１の実施形態におけるステップＳ１〜Ｓ４と同様の処理を行う（ステップＳ１１〜Ｓ１４）。ステップＳ１４でＹＥＳとなった場合、すなわち通話終了時に、主制御部の復帰制御部が、停止時（又は再開時）に非サイマル放送の表示であったか否かを判定する（ステップＳ１５）。
【００５３】
サイマル／非サイマルは、例えば、番組の名称、放送日時・内容など番組に関する情報が記されたＥＩＴ（Event Information Table）等に基づいて判定すればよい。より具体的には、固定受信用のＥＩＴ（Ｈ−ＥＩＴ）と携帯受信用のＥＩＴ（Ｌ−ＥＩＴ）を用いて、現在番組の番組名やジャンルなどの情報が同じか否かによりサイマル／非サイマルを判定する。他の判定方法としては、字幕情報により、同じ字幕情報を持っているか否かでサイマル／非サイマルを判定してもよい。また、音声が同じか否かで判定してもよいし、それ以外の方式を用いてもかまわない。また、ステップＳ２に対応するステップＳ１２において、サイマル／非サイマルの情報を内部メモリに記録しておき、この情報をステップＳ１５での判定に使用してもよい。
【００５４】
サイマル放送による表示でなかった場合（ステップＳ１５でＹＥＳの場合）には、復帰制御部は、切替部３９での切り替えを行わずに、着信時の視聴状態に遷移する（ステップＳ１８）。
【００５５】
一方、サイマル放送による表示であった場合（ステップＳ１５でＮＯの場合）には、復帰制御部は、ステップＳ１３で測定していた受信感度を元に、現在フルセグが視聴可能（所定以上の受信レベルで受信可能）か否かの判定を行い（ステップＳ１６）、現在視聴ができない場合（ＮＯの場合）には、ステップＳ１２での記録を参照しながら必要に応じて切替部３９での切り替えを行ってワンセグ視聴を行う（ステップＳ１９）。また、ステップＳ１６でＹＥＳの場合、復帰制御部は、ステップＳ１２での記録を参照しながら必要に応じて切替部３９での切り替えを行ってフルセグ視聴を再開する（ステップＳ１７）。なお、ステップＳ１６，Ｓ１７，Ｓ１９は図４のステップＳ６，Ｓ７，Ｓ８と同様である。また、ステップＳ１５とステップＳ１６との間に図４のステップＳ５の判定を加えることもできる。
【００５６】
このように、本実施形態によれば、着信時の視聴状態だけでなく通話中のフルセグ受信状況を記憶してそれに基づいて復帰制御を行うことにより、ユーザは着信からの通話後、着信時のテレビ視聴状態に可能な限り復帰でき、着信時に復帰できない場合でもワンセグで視聴を継続することができるだけでなく、ユーザは通話後、着信時のテレビ視聴状態に復帰できなかった時にはサイマル放送ではない視聴を行うことなく（つまり同じ番組を放送中のチャンネルではない視聴を行うことなく）、単に着信前の放送が受信できないことが分かり、チャンネル切り替え等の操作を即座に行うことができる。
【００５７】
（第３の実施形態）
図６は、本発明の第３の実施形態に係る携帯電話機における１画面でＴＶ視聴中の処理の一例を説明するためのフロー図で、視聴確率判定を含む処理例を説明するためのフロー図である。
【００５８】
本実施形態における取得状況記録部は、停止制御を実行中に、フルセグ放送受信部で映像データの受信を行い、取得状況として、フルセグ放送受信部での取得可能確率（視聴可能確率と呼ぶ）を記録する。さらに、本実施形態では、復帰制御部が、停止制御の前に、フルセグ放送受信部で受信した映像データが示す映像を表示しており、且つ、取得状況記録部で記録された視聴可能確率が所定値より低い場合、ワンセグ放送受信部で映像データを受信して表示部１１に出力する。本実施形態は、第１、第２のいずれの実施形態にも適用できる。
【００５９】
本実施形態の処理例を説明する。まず、第１の実施形態におけるステップＳ１〜Ｓ４と同様の処理を行う（ステップＳ２１〜Ｓ２４）。但し、ステップＳ２３では、ステップＳ３のようにフルセグ放送の受信感度を更新していくのではなく、例えば所定時間毎に蓄積しておく。ステップＳ２４でＹＥＳとなった場合、すなわち通話終了時に、主制御部の復帰制御部が、現在フルセグ放送が視聴可能か（所定以上の受信レベルで受信可能か）否かを判定する（ステップＳ２５）。ステップＳ２５の判定は、図４のステップＳ６の判定と基本的に同様であり、ステップＳ２３で最後に蓄積した受信感度のみに基づいて判定を行えばよい。ステップＳ２５でＮＯの場合、復帰制御部は、図４のステップＳ８と同様にワンセグ視聴復帰を行う（ステップＳ２８）。
【００６０】
一方、ステップＳ２５でＹＥＳの場合、つまりフルセグ受信が可能な場合、主制御部の復帰制御部は、通話中のフルセグ視聴可能確率が高いか否かの判定を行う（ステップＳ２６）。
【００６１】
視聴可能確率とは、所定以上の受信レベルで取得（受信）が可能な確率を指し、例えば、蓄積した所定時間毎の受信レベルから測定・蓄積毎に視聴可能か否かを判定して、蓄積した回数で視聴可能な回数を除算して算出した値、つまり視聴可能であった割合とする。この受信レベルとしては、上述したようにＣ／Ｎ、ＢＥＲ、ＰＥＲを用いることが考えられるがそれ以外の方式を用いてもかまわない。また、視聴可能確率は、単位時間での測定データを元にしてもよく、例えば、通話時間とその通話時間内の視聴可能時間とから判定するようにしてもよい。より具体的には、例えば通話が１分間続いた間、フルセグの視聴可能時間が３０秒だった場合には視聴可能確率は５０％とし、閾値（例えば７５％）と比較して視聴が難しいと判断する。また、通話が長引いた場合には視聴可能確率と実際のフルセグ視聴確率とに差異が出る可能性があるため、通話全体のデータを用いずに、例えば通話終了前１分間のみから視聴可能確率を算出してもよい。また、視聴可能確率は、ステップＳ２３で測定の度に算出して内部メモリに格納しておいてもよいし、ステップＳ２６の段階で算出を実行してもよい。
【００６２】
ステップＳ２６でＹＥＳの場合には、復帰制御部は、ステップＳ２２での記録を参照しながら必要に応じて切替部３９での切り替えを行ってフルセグ視聴を行う（ステップＳ２７）。一方、ステップＳ２６でＮＯの場合、復帰制御部は、ステップＳ１２での記録を参照しながら必要に応じて切替部３９での切り替えを行ってワンセグ視聴を再開する（ステップＳ２８）。また、フルセグの視聴可能確率が高い場合、着信前の表示状態に戻すようにしてもよい。なお、ステップＳ２５，Ｓ２７，Ｓ２８は図４のステップＳ６，Ｓ７，Ｓ８と同様である。また、ステップＳ２４とステップＳ２５との間に、図４のステップＳ５の判定、及び／又は、図５のステップＳ１５の判定及びステップＳ１８を加えることもできる。
【００６３】
このように、本実施形態では、着信時の視聴状態だけでなく通話中のフルセグ受信状況を記憶してそれに基づいて復帰制御を行うことにより、ユーザは着信からの通話後、着信時のテレビ視聴状態に可能な限り復帰でき、着信時に復帰できない場合でもワンセグで視聴を継続することができるだけでなく、フルセグ受信が可能な場合でも、通話中に測定したフルセグの視聴可能確率が低い場合にはフルセグ受信が直ぐに不可能になる可能性があるためワンセグ視聴に移行し、通話中に測定したフルセグの視聴可能確率が高い場合には視聴が直ぐに中断する可能性が低いためフルセグ視聴に移行することができる。
【００６４】
（第４の実施形態）
図７は、図１の携帯電話機における親画面と子画面を用いたＰｉｎＰ表示の一例を示す図である。図７で示す表示部１１では、２画面表示（ＰｉｎＰ）表示が可能となっている。より具体的には、携帯電話機１では、ユーザがメインとして視聴を行いたい番組の映像を親画面１１ａに、サブで確認したい番組の映像を子画面１１ｂに表示させることが可能になっている。一方がワンセグ映像であり、他方がフルセグ映像となり、図１の切替部３９は親画面１１ａ用と子画面１１ｂ用とで２出力分、設けられることになる。
【００６５】
ここで説明する第４の実施形態及び後述する第５〜第７の実施形態は、ＰｉｎＰでの視聴を行っていた状態での着信・通話からの復旧処理となる。つまり、フルセグ放送受信部で受信した映像データが示す映像Ａとワンセグ放送受信部で受信した映像データが示す映像Ｂとを、映像Ａの表示割合が多くなるように重畳した重畳映像データを、表示部１１に出力してその重畳映像データが示す映像を表示していたときに、着信等で停止制御に移行したときの処理となる。
【００６６】
図８は、本発明の第４の実施形態に係る携帯電話機におけるＰｉｎＰでＴＶ視聴中の処理の一例を説明するためのフロー図である。
【００６７】
本実施形態における復帰制御部は、復帰制御を行う対象が、親画面（メイン画面）の映像であるものとする。つまり、復帰制御部は、停止制御の前に、フルセグ放送受信部で受信した映像データが示す映像を親画面で表示しており、且つ、取得状況記録部で記録された取得状況から復帰制御時にフルセグ放送受信部で映像データが視聴可能に（所定以上の受信レベルで）受信できないと判定した場合に、親画面用としてワンセグ放送受信部で映像データを受信して、表示部１１に出力する。
【００６８】
本実施形態の処理例を説明する。まず、第１の実施形態におけるステップＳ１〜Ｓ４と同様の処理を行う（ステップＳ３１〜Ｓ３４）。但し、ステップＳ３２では親画面、子画面が、ワンセグ視聴なのかフルセグ視聴なのかを記録する。ステップＳ３４でＹＥＳとなった場合、すなわち通話終了時に、主制御部の復帰制御部が、ステップＳ３２での記録を参照して、着信時にメイン画面（親画面）での視聴がワンセグ放送であったのか否かを判定する（ステップＳ３５）。
【００６９】
親画面での視聴がワンセグ放送であった場合（ステップＳ３５でＹＥＳの場合）、復帰制御部は、切替部３９での切り替えを行わずに親画面をワンセグ放送のまま、視聴復帰を行う（ステップＳ３８）。
【００７０】
一方、親画面での視聴がフルセグ放送であった場合（ステップＳ３５でＮＯの場合）、復帰制御部は、ステップＳ３３で測定していた受信感度を元に、現在フルセグが視聴可能か（所定以上の受信レベルで受信可能か）否かの判定を行い（ステップＳ３６）、現在視聴ができない場合（ＮＯの場合）には、切替部３９での切り替えを行ってワンセグ視聴を行う（ステップＳ３８）。このように、フルセグ受信ができない場合にはワンセグ受信のレベルに関係なく親画面をワンセグにて再開することで、ワンセグはフルセグと比較し受信エリアが広くまた移動中における受信もすぐれているため、フルセグと比較し受信復旧の可能性が高くなる。
【００７１】
また、ステップＳ３６でＹＥＳの場合、復帰制御部は、切替部３９での切り替えを行なわずにフルセグ視聴を再開する（ステップＳ３７）。なお、ステップＳ３６，Ｓ３７，Ｓ３９は図４のステップＳ６，Ｓ７，Ｓ８と親画面１１ａについて同様であり、子画面については親画面の反対の放送受信部で受信するなどすればよい。
【００７２】
このように、本実施形態によれば、着信時の視聴状態だけでなく通話中のフルセグ受信状況を記憶し、それに基づいて復帰制御を行うことにより、ユーザは着信からの通話後、着信時の親画面のテレビ視聴状態に可能な限り復帰でき、着信時に復帰できない場合でもワンセグで親画面の視聴を継続して親画面に最適な表示を行うことができる。また、通話中のフルセグ受信状況に基づいた復帰制御であるため、通話終了時にワンセグのみ視聴が可能な場合であっても、視聴再開をスムーズに行うことができる。
【００７３】
また、本実施形態でも、着信時の視聴状態に復帰させることを基準として説明したが、第１の実施形態と同様に、ユーザ設定に従って、フルセグ復帰を優先させる判定又はワンセグ復帰を優先させる判定を行ってもよい。
【００７４】
（第５の実施形態）
図９は、本発明の第５の実施形態に係る携帯電話機におけるＰｉｎＰでＴＶ視聴中の処理の一例を説明するためのフロー図で、サイマル／非サイマルの判定を含む処理例を説明するためのフロー図である。
【００７５】
本実施形態における復帰制御部は、停止制御の前に、表示していた映像の映像データのいずれかが、非サイマル放送の映像データであった場合、停止制御前から放送受信部を替えたとしても同じ番組のチャンネルが受信できないため、常に、停止制御の前に受信していた方の放送受信部で映像データを受信して、表示部１１に出力する。
【００７６】
本実施形態の処理例を説明する。まず、第４の実施形態におけるステップＳ３１〜Ｓ３４と同様の処理を行う（ステップＳ４１〜Ｓ４４）。ステップＳ４４でＹＥＳとなった場合、すなわち通話終了時に、主制御部の復帰制御部が、停止時（又は再開時）に非サイマル放送の表示が親画面又は子画面で存在したか否かを判定する（ステップＳ４５）。サイマル／非サイマルの判定は第２の実施形態で説明した通りである。
【００７７】
親画面、子画面のいずれかがサイマル放送による表示でなかった場合（ステップＳ４５でＹＥＳの場合）には、復帰制御部は、切替部３９での切り替えを行わずに、着信時の視聴状態に遷移する（ステップＳ４８）。
【００７８】
親画面、子画面のいずれかがサイマル放送による表示でなかった場合、つまり両画面ともサイマル表示であった場合（ステップＳ４５でＮＯの場合）には、復帰制御部は、ステップＳ４３で測定していた受信感度を元に、現在フルセグが視聴可能か（所定以上の受信レベルで受信可能か）否かの判定を行い（ステップＳ４６）、現在視聴ができない場合（ＮＯの場合）には、ステップＳ４２での記録を参照しながら必要に応じて切替部３９での切り替えを行って親画面でワンセグ視聴を行う（ステップＳ４９）。また、ステップＳ４６でＹＥＳの場合、復帰制御部は、ステップＳ４２での記録を参照しながら必要に応じて切替部３９での切り替えを行って親画面でフルセグ視聴を再開する（ステップＳ４７）。なお、ステップＳ４６，Ｓ４７，Ｓ４９は図８のステップＳ３６，Ｓ３７，Ｓ３８と同様である。また、ステップＳ４５とステップＳ４６との間に図８のステップＳ３５の判定を加えることもできる。
【００７９】
このように、本実施形態によれば、着信時の視聴状態だけでなく通話中のフルセグ受信状況を記憶し、それに基づいて復帰制御を行うことにより、ユーザは着信からの通話後、着信時の親画面のテレビ視聴状態に可能な限り復帰でき、着信時に復帰できない場合でもワンセグで親画面の視聴を継続して親画面に最適な表示を行うことができるだけでなく、ユーザは通話後、親画面が着信時のテレビ視聴状態に復帰できなかった時にはサイマル放送ではない視聴を行うことなく（つまり同じ番組を放送中のチャンネルではない視聴を行うことなく）、単に着信前の放送が受信できないことが分かり、チャンネル切り替えや親画面と子画面との切り替え等の操作を即座に行うことができる。
【００８０】
また、主制御部に登録したユーザの設定により、サイマル表示ではない視聴が親画面・子画面に含まれる場合で、且つ親画面の表示が不可能な場合に、自動的に親画面と子画面を入れ替え表示するように制御してもよい。
【００８１】
（第６の実施形態）
図１０は、本発明の第６の実施形態に係る携帯電話機におけるＰｉｎＰでＴＶ視聴中の処理の一例を説明するためのフロー図で、視聴確率判定を含む処理例を説明するためのフロー図である。
【００８２】
本実施形態における取得状況記録部は、第３の実施形態と同様に、取得状況として、フルセグ放送受信部での視聴可能確率を記録する。さらに、本実施形態では、復帰制御部が、停止制御の前に、親画面にフルセグ放送受信部で受信した映像データが示す映像を表示しており、且つ、取得状況記録部で記録された視聴可能確率が所定値より低い場合、親画面用にワンセグ放送受信部で映像データを受信して表示部１１に出力する。本実施形態は、第４、第５のいずれの実施形態にも適用できる。
【００８３】
本実施形態の処理例を説明する。まず、第４の実施形態におけるステップＳ３１〜Ｓ３４と同様の処理を行う（ステップＳ５１〜Ｓ５４）。但し、ステップＳ５３では、ステップＳ３３のようにフルセグ放送の受信感度を更新していくのではなく、第３の実施形態のように、例えば所定時間毎に蓄積しておく。ステップＳ５４でＹＥＳとなった場合、すなわち通話終了時に、主制御部の復帰制御部が、現在フルセグ放送が視聴可能か（所定以上の受信レベルで受信可能か）否かを判定する（ステップＳ５５）。ステップＳ５５の判定は、図８のステップＳ３６の判定と基本的に同様であり、ステップＳ５３で最後に蓄積した受信感度（受信レベル）のみに基づいて判定を行えばよい。ステップＳ５５でＮＯの場合、復帰制御部は、図８のステップＳ３８と同様に親画面でワンセグ視聴復帰を行う（ステップＳ５８）。
【００８４】
一方、ステップＳ５５でＹＥＳの場合、つまりフルセグ受信が可能な場合、主制御部の復帰制御部は、通話中のフルセグ視聴可能確率が高いか否かの判定を行う（ステップＳ５６）。この処理は、図６のステップＳ２６と同様である。視聴可能確率を、ステップＳ５３で測定の度に算出して内部メモリに格納しておいてもよいし、ステップＳ５６の段階で算出を実行してもよい点も同様である。
【００８５】
ステップＳ５６でＹＥＳの場合には、復帰制御部は、ステップＳ５２での記録を参照しながら必要に応じて切替部３９での切り替えを行って親画面でフルセグ視聴を行う（ステップＳ５７）。また、ステップＳ５６でＮＯの場合、復帰制御部は、ステップＳ５２での記録を参照しながら必要に応じて切替部３９での切り替えを行って親画面でワンセグ視聴を再開する（ステップＳ５８）。また、フルセグの視聴可能確率が高い場合、着信前の表示状態に戻すようにしてもよい。なお、ステップＳ５５，Ｓ５７，Ｓ５８は図８のステップＳ３６，Ｓ３７，Ｓ３８と同様である。また、ステップＳ５４とステップＳ５５との間に、図８のステップＳ３５の判定、及び／又は、図９のステップＳ４５の判定及びステップＳ４８を加えることもできる。
【００８６】
このように、本実施形態では、着信時の視聴状態だけでなく通話中のフルセグ受信状況を記憶し、それに基づいて復帰制御を行うことにより、ユーザは着信からの通話後、着信時の親画面のテレビ視聴状態に可能な限り復帰でき、着信時に復帰できない場合でもワンセグで親画面の視聴を継続して親画面に最適な表示を行うことができるだけでなく、フルセグ受信が可能な場合でも、通話中に測定したフルセグの視聴可能確率が低い場合にはフルセグ受信が直ぐに不可能になる可能性があるため親画面をワンセグ視聴に移行し、通話中に測定したフルセグの視聴可能確率が高い場合には視聴が直ぐに中断する可能性が低いため親画面をフルセグ視聴に移行することができる。
【００８７】
（第７の実施形態）
図１１は、本発明の第７の実施形態に係る携帯電話機におけるＰｉｎＰでＴＶ視聴中の処理の一例を説明するためのフロー図である。
【００８８】
本実施形態における復帰制御部は、第４〜第６の実施形態において、事前設定に基づいてどのような映像を子画面に表示するかを決定し、その映像を、停止制御の前のワンセグ放送受信部で受信していた映像データが示す映像の表示位置（子画面の表示位位置）と同じ位置に表示するように、表示部１１に出力する。
【００８９】
ここで事前設定とは、ワンセグ放送受信部で停止制御の前に受信していた映像データに対応してフルセグ放送受信部で過去に受信して保存した映像データが示す映像ａ、ワンセグ放送受信部で停止制御の前に受信していた映像データに対応するワンセグ放送受信部で復帰制御時に受信した映像データが示す映像ｂ、所定の画像データが示す映像ｃ、のいずれかを設定しておく。この事前設定は、主制御部の内部メモリに操作部１２から登録しておけばよい。映像ａを復帰制御時に使用するためには、主制御部の内部メモリ等に、着信前にワンセグ受信中の最後の映像データを更新しながら記録しておけばよい。映像ｂは、親画面でワンセグ放送受信部を使用中であるが、その合間に着信前のワンセグ放送受信部での受信チャンネルの映像データを取得すればよい。また、映像ｃは、黒画像等の特定の色のデータや特定の模様の画像データなどを読み出して表示すればよい。
【００９０】
以下、本実施形態について第４の実施形態に適用した場合の処理例のみ説明するが、第５、第６の実施形態にも同様に適用できる。本実施形態の処理例を説明する。まず、第４の実施形態におけるステップＳ３１〜Ｓ３５と同様の処理を行う（ステップＳ６１〜Ｓ６５）。
【００９１】
親画面での視聴がワンセグ放送であった場合（ステップＳ６５でＹＥＳの場合）、図８のステップＳ３６と同様の判定を行う（ステップＳ６８）。ステップＳ６８でＹＥＳの場合、つまり現在フルセグが視聴可能（所定以上の受信レベルで受信可能）である場合には、復帰制御部は、切替部３９での切り替えを行わずに親画面をワンセグ放送且つ子画面をフルセグ放送のまま、視聴復帰を行う（ステップＳ７１）。一方、ステップＳ６８でＮＯの場合には、上記事前設定に基づいて、過去のフルセグ映像（必要な蓄積量が多くなるため静止画像でよい）、現在のワンセグ映像、黒画面用の黒画像のいずれかを読み出して（ステップＳ６９）、親画面をワンセグ放送のまま、子画面をその読み出した映像を表示するように視聴復帰する（ステップＳ７０）。
【００９２】
一方、親画面での視聴がフルセグ放送であった場合（ステップＳ６５でＮＯの場合）にも、図８のステップＳ３６と同様の判定を行う（ステップＳ６６）。ステップＳ６６でＮＯの場合、すなわち現在フルセグが視聴できない場合には、復帰制御部は、ステップＳ６９，Ｓ７０と同じ処理を行う。一方、ステップＳ６６でＹＥＳの場合、すなわち現在フルセグが視聴できる場合には、復帰制御部は、切替部３９での切り替えを行なわず、親画面をフルセグ放送、子画面をワンセグ放送のまま、視聴復帰する（ステップＳ６７）。
【００９３】
このように、本実施形態によれば、第４の実施形態の効果に加えて、フルセグ放送が視聴可能でない場合の子画面についても、ユーザの事前設定に基づきユーザの望む映像を表示することができる。また、本実施形態でも、着信時の視聴状態に復帰させることを基準として説明したが、第４の実施形態と同様に、ユーザ設定に従って、フルセグ復帰を優先させる判定又はワンセグ復帰を優先させる判定を行ってもよい。第５、第６の実施形態に適用した場合にも、同様の付加的な効果が得られる。
【００９４】
（第８の実施形態）
第１〜第７の実施形態では、フルセグ・ワンセグの取得・再生が可能な携帯電話機におけるＴＶ視聴について説明を行っているが、本発明に係る携帯電話機は、上記第１映像取得部及び上記第２映像取得部を備えていればよく、すなわち２つ以上の取得方法で映像コンテンツ（放送、通信は問わない）が取得且つ再生可能となっていればよい。
【００９５】
第１映像取得部として、フルセグ放送又はワンセグ放送等の放送受信部を採用し、第２映像取得部として、それより地下エリア等の特定エリアで受信感度のよい無線通信（上記基地局装置との無線通信）や無線ＬＡＮを用いたインターネット上のサーバ装置との通信を行う通信部を採用してもよい。ここで、サーバ装置との映像データの通信には、例えば、サーバ装置からダウンロードする通信や、ＶＯＤ（Video On Demand）配信、ＩＰ（Internet Protocol）放送の受信などが挙げられる。例えば、放送波によるＴＶ視聴中に着信による中断が起こり通話後視聴再開時に放送波を受信できないエリアに移動していた場合、無線電話網や無線ＬＡＮ経由の通信ブラウザ等によるストリーミング再生により視聴を再開してもよい。
【００９６】
逆に、第１映像取得部として、上記無線通信や無線ＬＡＮを用いたインターネット上のサーバ装置との通信を行う通信部を採用し、第２映像取得部として、それより地上の幅広いエリアで受信感度のよいフルセグ放送又はワンセグ放送等の放送受信部を採用してもよい。
【００９７】
他の例を挙げると、第１映像取得部が、高解像度の映像データを受信できるが（インターネット上でのプロバイダによる転送量制限などにより）受信ができない場面があるサーバ装置の或るリンク先から映像データを取得し、第２映像取得部が、それより受信可能性が高い、低解像度の映像データを受信できるサーバ装置の或るリンク先から映像データを取得するようにすることもできる。この場合、取得に関する優位度としては、受信可能性が該当する。また、通信料の安さや受信速度の速さを上記優位度と捉えれば、この例で第１映像取得部と第２映像取得部とを入れ替えた状態で適用することもできる。
【００９８】
また、このような第１、第２映像取得部が共に通信を行う場合でも、第１映像取得部がコンテンツ料金がかかる映像データを取得する部位とし、第２映像取得部がコンテンツ料金がそれより安いか無料の映像データを取得する部位としてもよい。
【００９９】
また、第２、第５の実施形態において、サイマル放送について説明したが、これらの実施形態ではサイマル／非サイマルの判定に限らず、第１映像取得部と第２映像取得部との双方で同じ内容の映像データが取得可能であるか否かの判定を採用してもよい。そして、双方で取得可能な映像データでなかった場合に、停止制御前のまま、第１映像取得部で映像データを取得して、映像表示部に出力すればよい。例えば、複数の（隣接）局から同時に放送されている２つの同じ放送番組を受信できる場合（例えば全国ネットの放送番組）、通信を用いて複数の取得方法で同じ内容の映像データを受信できる場合、さらに放送と通信とで同じ内容の映像データを取得できる場合などが、挙げられる。
【０１００】
（他の適用例）
第４〜第７の実施形態やそれを適用した第８の実施形態では、放送受信部等の映像取得部が２つであることを前提として説明した。他の形態として、本発明では、第１映像取得部を１つと第２映像取得部を２つ設けた携帯電話機等の携帯端末装置に適用することができる。例えば、第１映像取得部と第２映像取得部とは上述した各実施形態のような復帰制御を行うと共に、もう１つの第２映像取得部を子画面専用に使用する（例えば図１１のステップＳ６９，Ｓ７０の代わりに子画面にここで取得した映像を表示する）か、或いは、子画面について表示できないときのみこのもう１つの第２映像取得部を使用するようにするなどすればよい。勿論、携帯端末装置に、これ以上の数の第１映像取得部や第２映像取得部を備えておいてもよい。
【０１０１】
また、上述した各実施形態では、基本的に映像データの表示の復帰についてのみ説明したが、本発明は、視聴ではなくラジオのような音声のみの受信ができる携帯端末装置にも適用することができる。例えば、ラジオ受信時に着信が起こり、通話終了時にラジオの受信エリア外に移動していた場合、無線電話網や無線ＬＡＮ経由の通信ブラウザ等によるインターネットラジオにて再開してもよい。
【０１０２】
この適用例における携帯電話機１は、音声出力部１６の他に、音声データを取得する第１の音声取得部と、第１の音声取得部と異なる取得方法で音声データを取得する第２の音声取得部とを備える。さらに、携帯電話機１の停止制御部は、音声出力部１６で、第１の音声取得部及び／又は前記第２の音声取得部で取得した音声データが示す音声を出力中に（なお、双方出力中とは通常、少なくとも一方がヘッドホン等による出力となる）、その音声とは異なる他の音声を出力するイベントが発生したときに、その音声の出力を停止する停止制御を行う。また、復帰制御部が、停止制御の要因となったイベントが終了したとき、その音声の出力を復帰する復帰制御を行う。さらに、取得状況記録部が、停止制御を実行中に、第１の音声取得部で音声データの取得を行い、取得状況を記録する。
【０１０３】
そして、復帰制御部は、停止制御の前に、第１の音声取得部で取得した音声データが示す音声を出力しており、且つ、取得状況記録部で記録された取得状況から、復帰制御時に第１の音声取得部で音声データが所定以上の受信レベルで取得できないと判定した場合、第２の音声取得部で音声データを取得して、音声出力部１６に出力する。他の応用例については、映像データに関して説明したものと同様である。
【符号の説明】
【０１０４】
１…携帯電話機、１１…表示部、１１ａ…親画面、１１ｂ…子画面、１２…操作部、１３…放送用アンテナ、１４…放送処理部、１５…映像出力部、１６…音声出力部、１７…ＲＯＭ、１８…ＲＡＭ、１９…ＣＰＵ、２０…通信処理部、２１…通信用アンテナ、３１…フルセグチューナ、３２…フルセグＯＦＤＭ、３３…フルセグＴＳデコーダ、３４…フルセグデコーダ、３５…ワンセグチューナ、３６…ワンセグＯＦＤＭ、３７…ワンセグＴＳデコーダ、３８…ワンセグデコーダ、３９…切替部。
【図１】
2010268281.tif 000003
【図２】
2010268281.tif 000004
【図３】
2010268281.tif 000005
【図４】
2010268281.tif 000006
【図５】
2010268281.tif 000007
【図６】
2010268281.tif 000008
【図７】
2010268281.tif 000009
【図８】
2010268281.tif 000010
【図９】
2010268281.tif 000011
【図１０】
2010268281.tif 000012
【図１１】
2010268281.tif 000013